(57)【要約】【課題】    商品に取り付けられる表示タグについて、情報表示以外の機能として炭粉末が有するさまざまな機能を付与し、購入者が商品を購入した後も有益に利用することができる表示タグを提供することを課題とする。【解決手段】表示タグ２は、その基礎となる材料であるタグ基材１０の一方の面に固定情報６が印刷されるとともに可変情報８が印字されている。また、タグ基材１０の他方の面には炭を粉砕した炭粉末と、接着剤と、を混合して積層した炭粉末層１２が設けられ、さらに、この炭粉末層１２を通気性シート１４で覆っている。【選択図】        図３
2006337560.tif 000002
【特許請求の範囲】
【請求項１】
商品に関する所定の情報を表示して、前記商品に取り付ける表示タグであって、
前記表示タグの一方の面に、固定情報として共通する表示項目があらかじめ印刷され、可変情報としてこの表示項目に対応する文字や数字やバーコードがプリンタ印字され、
前記表示タグの他方の面に、炭を粉砕して積層した炭粉末層を設けるとともに、この炭粉末層を通気性シートで覆ったことを特徴とする表示タグ。
【請求項２】
前記炭粉末層は、炭を粉砕した炭粉末と、接着剤と、を混合して積層したものであることを特徴とする請求項１記載の表示タグ。
【請求項３】
前記表示タグは、一方の面に所定の情報が表示された表示面と、他方の面に炭粉末層が設けられた通気面と、が形成され、
前記表示タグは、この表示タグを折り曲げる際の補助となる折り目線が形成され、
前記表示面は、前記折り目線より線対称な第１の表示面領域と、第２の表示面領域と、に分割され、
前記通気面は、前記折り目線より線対称な第１の通気面領域と、第２の通気面領域と、に分割されていることを特徴とする請求項１記載の表示タグ。
【発明の詳細な説明】
【技術分野】
【０００１】
本発明は、商品に関する所定の情報を表示して、前記商品に取り付ける表示タグに関し、特に、前記表示タグの一方の面に前記所定の情報を表示して、他方の面に炭を粉砕して積層した炭粉末層を設けた表示タグに関する。
【背景技術】
【０００２】
従来、衣料品などの商品には、品番、品名、サイズ、品質、製造国、会社名などの情報を表示した表示タグが取り付けられている。商品の販売者はこの表示タグの表示をもとに商品を陳列し、商品の購入者はこの表示タグの表示をもとに商品を選出して購入するものである。このように表示タグは、販売者および購入者、そのいずれにとっても不可欠なものである。
【０００３】
商品の購入者にとって、前記表示タグは商品を選出して購入する際に不可欠な情報が表示されているものの、この表示されている情報は商品を購入した後には不要な情報となることが多く、たいていは、実際に商品を用いる前に、この商品から前記表示タグが取り外される。こうして取り外された前記表示タグは、ほとんどの場合が破棄されており資源の浪費となっている。
【０００４】
ところで、近年、吸脱臭、消臭、遠赤外線発生、マイナスイオン発生、湿度調整、電磁波遮蔽などの機能を有する素材として、炭が注目されている。こうしたさまざまな機能を有する炭は、たとえば、粉砕した炭粉末を小分けして滲み出さないよう包み込んで炭シートとし、この炭シートを寝具などに利用することが知られている。
【０００５】
このような炭シートとして、あらかじめ決められた最小単位の形状に炭粉末が小分けされて包み込まれ、この最小単位の形状を連ねて所定の寸法としたものがある。この炭シートでは、あらかじめ決められた最小単位の形状に炭粉末が小分けされているので、この最小単位より小さい形状に切断して用いること、任意の形状に切断して用いることができない。
【０００６】
なお、下げ札（表示タグ）の２つ折りにした中厚紙シートの内側シート面に気密性のプラスチックフィルムを接着して、この２つ折りにした一方の内側シート面に接着されたプラスチックフィルムの部分に、防虫剤の原液を含浸させた多孔質小片を固着し、各シート面のプラスチックフィルム同士を粘着して、多孔質小片を気密状態に覆うことにより、衣料品の購入者がこのプラスチックフィルム同士を剥がして多孔質小片を露出させ、下げ札を防虫剤の代替として有効活用できるようにしたものとして、以下の特許文献１の公報がある。
【０００７】
また、炭粉を小分けして滲出しないように包み、これを目の細いスパンポンド不織布の裏面にフィルムをラミネートして必要量針で穴を開けたシート或はＳＭＳシートで覆い長尺にするか定尺にするか裁断して炭シートとし、さらに織布や不織布等で積層してカセットとしてそのまま使用するか、あるいは袋体のついた寝具、マット等にカセットを挿入して寝具として使用する。またさらに織布・不織布でチャックを付けた袋状の外袋を形成して洗濯し易いようにし、この中に前記炭シートを挿入して介護用の寝具に入れるカセットとしたものとして、以下の特許文献２の公報がある。
【０００８】
【特許文献１】実用新案登録第３０８３２７５号公報。
【特許文献２】特開２００１−１６９８６５号公報。
【発明の開示】
【発明が解決しようとする課題】
【０００９】
本発明は以上のような諸問題に鑑みなされたもので、その目的とするところは、商品に取り付けられる表示タグについて、情報表示以外の機能として炭粉末が有するさまざまな機能を付与し、購入者が商品を購入した後も有益に利用することができる表示タグを提供することを課題とする。また、前記表示タグを任意の寸法に形成しても炭粉末が滲み出さないようにすることができる表示タグを提供することを課題とする。
【課題を解決するための手段】
【００１０】
本発明は上記課題を解決すべく、以下に掲げる構成とした。
請求項１記載の発明の要旨は、商品に関する所定の情報を表示して、前記商品に取り付ける表示タグであって、前記表示タグの一方の面に、固定情報として共通する表示項目があらかじめ印刷され、可変情報としてこの表示項目に対応する文字や数字やバーコードがプリンタ印字され、前記表示タグの他方の面に、炭を粉砕して積層した炭粉末層を設けるとともに、この炭粉末層を通気性シートで覆ったことを特徴とする表示タグに関する。
【００１１】
請求項２記載の発明の要旨は、前記炭粉末層は、炭を粉砕した炭粉末と、接着剤と、を混合して積層したものであることを特徴とする請求項１記載の表示タグに関する。
【００１２】
請求項３記載の発明の要旨は、前記表示タグは、一方の面に所定の情報が表示された表示面と、他方の面に炭粉末層が設けられた通気面と、が形成され、前記表示タグは、この表示タグを折り曲げる際の補助となる折り目線が形成され、前記表示面は、前記折り目線より線対称な第１の表示面領域と、第２の表示面領域と、に分割され、前記通気面は、前記折り目線より線対称な第１の通気面領域と、第２の通気面領域と、に分割されていることを特徴とする請求項１記載の表示タグに関する。
【発明の効果】
【００１３】
本発明は、商品に関する所定の情報を表示して、前記商品に取り付ける表示タグであって、前記表示タグの一方の面に、固定情報として共通する表示項目があらかじめ印刷され、可変情報としてこの表示項目に対応する文字や数字やバーコードがプリンタ印字され、前記表示タグの他方の面に、炭を粉砕して積層した炭粉末層を設けるとともに、この炭粉末層を通気性シートで覆うようにしたので、表示タグの情報表示以外の機能として、炭粉末が有するさまざまな機能を付与し、購入者が商品を購入した後も有益に利用することができる。
【００１４】
また、前記炭粉末層は、炭を粉砕した炭粉末と、接着剤と、を混合して積層するようにしたので、前記表示タグを任意の寸法に形成しても炭粉末が滲み出さないようにすることができる。
【発明を実施するための最良の形態】
【００１５】
本発明にかかる表示タグについて、図１乃至図５を用いて説明する。まず、本発明にかかる表示タグの第１実施形態について説明する。図１は、本発明にかかる表示タグの第１実施形態の一方の面を示す平面図であり、図２は、本発明にかかる表示タグの第１実施形態の他方の面を示す平面図であり、図３は、図２に示すＡ−Ａ線断面図である。
【００１６】
図１に示す表示タグ２は、図示せぬ商品に関する所定の情報を表示して、前記商品に取り付けるものである。前記商品に取り付けるために貫通孔であるタグホール４が設けられており、前記所定の情報を表示した後、糸または樹脂製ピンを用いてこの商品に取り付けられる。
【００１７】
また、表示タグ２は、その一方の面に商品に共通する表示項目として、たとえば、品番、品名、サイズ、品質、製造国、株式会社ＸＹＺ、などの固定情報６が印刷機などによってあらかじめ印刷（プレプリント）され、一枚ごとの枚葉状または複数枚が連なったロール状で、図示せぬプリンタにセットされ、この表示項目に対応する文字や数字やバーコードが、たとえば、１２３４５６７８９、シャツ、Ｍ、綿１００％、日本、品番などの情報をコード化したバーコード、など商品ごとの可変情報８がプリンタ印字されている。
【００１８】
図２に示す表示タグ２は、先述した一方の面の反対側面である他方の面に、炭を粉砕して積層した炭粉末層を設けるとともに、この炭粉末層を通気性シート１４で覆っている。
【００１９】
図３は図２に示すＡ−Ａ線断面図であり、表示タグ２は、その基礎となる材料であるタグ基材１０の一方の面に固定情報６が印刷されるとともに可変情報８が印字されている。また、タグ基材１０の他方の面には炭を粉砕して積層した炭粉末層１２が設けられ、さらに、この炭粉末層１２を通気性シート１４で覆っている。
【００２０】
タグ基材１０は、紙製基材のほか、ポリエチレンやポリ塩化ビニルなどのプラスチック基材を用いることができるが、コスト面や加工適正から紙製基材を用いることが好ましい。このタグ基材１０の厚さについては特に限定しないが、紙製基材を用いる場合は、強度面から０．２ｍｍ以上あることが好ましい。また、タグ基材１０は、一方の面に固定情報６が印刷されるとともに可変情報８が印字されることから、この一方の面は印刷適正および印字適正を要する。詳しくは、この一方の面に、白色顔料と接着剤などを混ぜた塗料を塗って平滑性をもたせたり、このような平滑性をもたせた薄紙を表出面となるように接着して用いることができる。さらに、タグ基材１０の一方の面に感熱発色層を塗工して、プリンタのサーマルヘッドによって直接印字できる感熱性基材としても良い。
【００２１】
炭粉末層１２は、炭を粉砕した炭粉末と、接着剤と、を混合して積層したものである。炭粉末に粉砕する前の炭としては、比較的軟質な黒炭、比較的硬質な白炭、この白炭の一種である備長炭、木材からではなく竹から形成された竹炭などがあるが、先述した炭のもつ各種機能が高い竹炭を用いることが好ましい。
【００２２】
この竹炭は、たとえば、竹を割って乾燥させ、次に蒸し焼きにして炭化させ、さらに高温で焼き上げることによって形成される。このようにして形成された竹炭は、極めて硬質であるとともに竹の組織の痕跡がそのまま残り微細かつ大小さまざまな孔が無数に存在するものである。さらに、この竹炭を粉砕機によって０．２ｍｍ以下の大きさに粉砕して炭粉末とする。
【００２３】
このようにして得られた炭粉末は、接着剤と混合して、タグ基材１０の一方の面の反対側面である他方の面に積層されて炭粉末層１２を形成する。この接着剤としては、たとえば、公知の各種粘着剤を用いることができる。詳しくは、種類別にはゴム系粘着剤、アクリル系粘着剤、シリコーン系粘着剤などがあり、さらに、形態別には、水の中に樹脂を微粒子にして重合したエマルジョン型粘着剤、有機溶剤を使用した溶剤型粘着剤、通常は固体であり熱で溶かして使うホットメルト型粘着剤などがある。この中から任意の組合せの粘着剤を用いることができ、たとえば、アクリル系粘着剤と有機溶剤とを混合したアクリル系溶剤型粘着剤などを用いることができる。
【００２４】
この炭粉末層１２は、タグ基材１０に接しない面が通気性シート１４によって覆われて保護される。この通気性シート１４は、たとえば、レーヨン、コットン、ポリエステル、ポリプロピレンなどの単繊維またはこれら繊維の混紡、接着、熱プレス、によって形成されたシート状物であり、微細な通気孔を多数有する不織布を用いることができる。詳しくは、長繊維で強度を有するスパンボンド不織布、柔軟性および非透過性を有するメルトブロー不織布などを用いることができる。
【００２５】
以上のようにして形成された表示タグ２は、前述のとおり、一方の面に商品に関する固定情報６や可変情報８などのさまざまな情報を表示して、この商品に取り付けられる。商品の販売者は、この表示タグ２の表示をもとに商品を店舗に陳列する。商品購入者は、店舗に陳列された多くの商品の中から、この表示タグ２の表示をもとに所望の商品を選出して購入する。商品購入者は、実際に商品を用いる前に、この商品から前記表示タグ２を取り外し、たとえば、この商品のポケットなどに入れて用いることができる。
【００２６】
このように前記表示タグ２を前記商品のポケットなどに入れて用いることで、炭が有するさまざまな機能を享受することができる。詳しくは、吸脱臭および消臭機能として、有害物質を吸着したり、不快な臭いを取り除くことができる。遠赤外線発生機能として、遠赤外線を発生して体を温めることができる。マイナスイオン発生機能として、マイナスイオンを発生して元気を回復させ、気分をさわやかにすることができる。湿度調整機能として、湿度の高いところでは吸湿し、湿度の低いところでは加湿することができる。電磁波遮蔽機能として、導電性を呈することから電磁波を遮蔽することができる。
【００２７】
このように本発明にかかる表示タグの第１実施の形態は、商品に関する所定の情報を表示して、前記商品に取り付けるものであって、前記表示タグ２の一方の面に、固定情報６として共通する表示項目があらかじめ印刷され、可変情報８としてこの表示項目に対応する文字や数字やバーコードがプリンタ印字され、前記表示タグ２の他方の面に、炭を粉砕して積層した炭粉末層１２を設けるとともに、この炭粉末層１２を通気性シート１４で覆うようにしたので、商品に取り付けられる表示タグ２について、情報表示以外の機能として炭粉末が有するさまざまな機能を付与し、購入者が商品を購入した後も有益に利用することができる。
【００２８】
また、前記炭粉末層１２は、炭を粉砕した炭粉末と、接着剤と、を混合して積層するようにしたので、前記表示タグ２を天地方向および左右方向に任意の寸法に形成しても炭粉末が滲み出さないようにすることができる。
【００２９】
次に、本発明にかかる表示タグの第２実施の形態について、図４および図５を用いて説明する。図４は、本発明にかかる表示タグの第２実施形態の表示面を示す平面図である。図５は、本発明にかかる表示タグの第２実施形態の通気面を示す平面図である。
【００３０】
本発明にかかる表示タグの第２実施の形態と、先述した第１実施の形態と、を比較すると、図４に示す表示タグ２０における第１の表示面領域２４は、先述の図１に示した表示タグ２の一方の面に該当し、図５に示す表示タグ２０における第１の通気面領域３２は、先述の図２に示した表示タグ２の他方の面に該当する。よって、重複する、タグホール４、固定情報６、可変情報８、通気性シート１４などに関する付番については省略する。
【００３１】
第２実施の形態にかかる表示タグ２０は、一方の面に所定の情報が表示された表示面２２と、他方の面に炭粉末層が設けられた通気面３０と、が設けられ、前記表示タグ２０には、この表示タグ２０を折り曲げる際の補助となる折り目線２８が形成され、前記表示面２２は、前記折り目線２８より線対称な第１の表示面領域２４と、第２の表示面領域２６と、に分割され、前記通気面３０は、前記折り目線２８より線対称な第１の通気面領域３２と、第２の通気面領域３４と、に分割されているものである。
【００３２】
図４に示す表示タグ２０は、その一方の面である表示面２２に所定の情報が表示されるもので、この表示面２２を二分割する中心線となる位置に折り目線２８が形成され、かかる折り目線２８から線対称な第１の表示面領域２４と、第２の表示面領域２６と、に区分され、たとえば、第１の表示面領域２４には先述した固定情報６や可変情報８が表示され、第２の表示面領域２６にはブランド名などを示すＡＢＣなどの文字が表示される。この第１の表示面領域２４と、第２の表示面領域２６と、に表示される情報については、前述の例に関わらず、固定情報６および可変情報８の配置などは任意に設定することができる。
【００３３】
折り目線２８は、たとえば、表示面２２側から凸状の折り目刃をタグ基材に押し入れたり、凸状の折り目刃と凹状の受け型とでタグ基材を挟んで押し入れたり、することができる。また、この折り目線２８は、タグ基材の紙繊維に対して垂直方向に押し入れると、折り曲げにくく、折り目線がタグ基材に深く入り込んでしまった場合に紙繊維を分断して破れやすく、タグ基材の折り曲げを繰り返すと紙繊維を分断して破れやすくなる。よって、この折り目線２８は、タグ基材の紙繊維に対して水平方向に押し入れることが好ましい。
【００３４】
図５に示す表示タグ２０は、その他方の面である通気面３０に炭を粉砕して積層した炭粉末層を設けるとともに、この炭粉末層を通気性シートで覆ったもので、先述した折り目線２８から線対称な第１の通気面領域３２と、第２の通気面領域３４と、に区分されているものである。
【００３５】
このような表示タグ２０は、商品ごとの可変情報がプリンタ印字された後、折り目線２８より第１の通気面領域３２と、第２の通気面領域３４とが接するように折り曲げる。つまり、第１の表示面領域２４と、第２の表示面領域２６とが表出するように折り曲げ、糸または樹脂製ピンを貫通孔に通して商品に取り付ける。商品の販売者は、この表示タグ２０の表示をもとに商品を店舗に陳列する。商品購入者は、店舗に陳列された多くの商品の中から、この表示タグ２０の表示をもとに所望の商品を選出して購入する。
【００３６】
商品購入者は、実際に商品を用いる前に、この商品から前記表示タグ２０を取り外し、折り目線２８より逆方向に、第１の表示面領域２４と、第２の表示面領域２６とが接するように折り曲げる。つまり、第１の通気面領域３２と、第２の通気面領域３４とが表出するように折り曲げ、たとえば、この商品のポケットなどに入れて用いることができる。
【００３７】
このように本発明にかかる表示タグの第２実施の形態は、一方の面に所定の情報が表示された表示面２２と、他方の面に炭粉末層が設けられた通気面３０と、が設けられ、表示タグ２０には、この表示タグ２０を折り曲げる際の補助となる折り目線２８が形成され、前記表示面２２は、前記折り目線２８より線対称な第１の表示面領域２４と、第２の表示面領域２６と、に分割され、前記通気面３０は、前記折り目線２８より線対称な第１の通気面領域３２と、第２の通気面領域３４と、に分割されるようにした。
【００３８】
よって、商品に表示タグ２０を取り付ける際には、第１の表示面領域２４と、第２の表示面領域２６と、が表出するように折り曲げて取り付けるようにしたので、表示タグ２０の通気面３０を隠蔽して、一般的な表示タグとして用いることができ、二つの表示面領域を用いてより多くの情報を表示することができる。
【００３９】
また、この商品から前記表示タグ２０を取り外した後、第１の通気面領域３２と、第２の通気面領域３４と、が表出するように折り曲げて用いるようにしたので、表示タグ２０の表示面２２を隠蔽して、表示タグであることを見えないようにすることができ、二つ通気面領域を用いてより多くの炭粉末が有するさまざまな機能を付与し、購入者が商品を購入した後も有益に利用することができる。
【００４０】
なお、本発明が上記実施の形態に限定されず、本発明の技術思想の範囲内において、実施の形態は適宜変更可能である。また、上記構成部材の数、位置、形状等は上記実施の形態に限定されず、本発明を実施する上で好適な数、位置、形状等にすることができる。  
【図面の簡単な説明】
【００４１】
【図１】本発明にかかる表示タグの第１実施形態の一方の面を示す平面図である。
【図２】本発明にかかる表示タグの第１実施形態の他方の面を示す平面図である。図１に示すＡ−Ａ線断面図である。
【図３】図２に示すＡ−Ａ線断面図である。
【図４】本発明にかかる表示タグの第２実施形態の表示面を示す平面図である。
【図５】本発明にかかる表示タグの第２実施形態の通気面を示す平面図である。
【符号の説明】
【００４２】
２、２０  表示タグ
４  タグホール
６  固定情報
８  可変情報
１０  タグ基材
１２  炭粉末層
１４  通気性シート
２２  表示面
２４  第１の表示面領域
２６  第２の表示面領域
２８  折り目線
３０  通気面
３２  第１の通気面領域
３４  第２の通気面領域
【図１】
2006337560.tif 000003
【図２】
2006337560.tif 000004
【図３】
2006337560.tif 000005
【図４】
2006337560.tif 000006
【図５】
2006337560.tif 000007